(57)【要約】【課題】天面を大きく開口させて、開口部から商品がよく見えるように陳列でき、商品を容易に取り出すことのできるスライド開閉箱を提供する。【解決手段】端板４から延びる内枠板５と外枠板６とを天面で重ね合わせて、その開口部１０を一致させ、揺動自在の側板７の先端に連設した扉板８を内枠板５と外枠板６の間に差し込み、側板７の揺動に伴い、扉板８がスライドして開口部１０を開閉するようにしたスライド開閉箱において、側板７を傾斜させて、端板４と側板７から成る周壁を底窄まりの形状とし、扉板８のストロークを長く設定できるようにすると共に、開口部１０の端縁から延びる支持片１１を内側へ折り曲げ、開口部１０から挿入した商品を支持片１１に当接させて支持し、開口部１０を大きく開いた状態で、商品全体を露出させて陳列でき、その状態から商品を取り出せるようにする。【選択図】図２
2008150054.tif 000002
【特許請求の範囲】
【請求項１】
端板(4)から延びる内枠板(5)と外枠板(6)とを天面で重ね合わせて、その開口部(10)を一致させ、揺動自在の側板(7)の先端に連設した扉板(8)を内枠板(5)と外枠板(6)の間に差し込み、側板(7)の揺動に伴い、扉板(8)がスライドして開口部(10)を開閉するようにしたスライド開閉箱において、
前記側板(7)を傾斜させて、端板(4)と側板(7)から成る周壁を底窄まりの形状とし、開口部(10)の端縁から延びる支持片(11)を内側へ折り曲げ、開口部(10)から挿入した商品を支持片(11)に当接させて支持したことを特徴とするスライド開閉箱。
【発明の詳細な説明】
【技術分野】
【０００１】
この発明は、商品を取り出す開口部をスライドにより開閉する箱に関するものである。
【背景技術】
【０００２】
従来、下記特許文献１には、図６に示すように、端板５１から延びる内枠板５２と外枠板５３とを天面で重ね合わせて、その開口部５４を一致させ、揺動自在の側板５５の先端に連設した扉板５６を内枠板５２と外枠板５３の間に差し込み、側板５５の揺動に伴い、扉板５６がスライドして開口部５４を開閉するスライド開閉箱が記載されている。
【０００３】
【特許文献１】米国特許第４３６１２７０号明細書（Ｆｉｇ．１）
【発明の開示】
【発明が解決しようとする課題】
【０００４】
しかしながら、上記構成では、収納する商品に応じて、高さ等の寸法を設定すると、扉板のストロークを十分確保することができず、天面に商品の取り出しに必要な開口面積が得られない場合がある。
【０００５】
また、開口部に対する商品の位置が定まらないので、開口部から商品を露出させて陳列する用途にも適さない。
【０００６】
そこで、この発明は、天面を大きく開口させて、開口部から商品がよく見えるように陳列でき、開口部を介して商品を容易に取り出すことのできるスライド開閉箱を提供することを課題とする。
【課題を解決するための手段】
【０００７】
上記課題を解決するため、この発明は、端板から延びる内枠板と外枠板とを天面で重ね合わせて、その開口部を一致させ、揺動自在の側板の先端に連設した扉板を内枠板と外枠板の間に差し込み、側板の揺動に伴い、扉板がスライドして開口部を開閉するようにしたスライド開閉箱において、前記側板を傾斜させて、端板と側板から成る周壁を底窄まりの形状とし、開口部の端縁から延びる支持片を内側へ折り曲げ、開口部から挿入した商品を支持片に当接させて支持したのである。
【発明の効果】
【０００８】
このスライド開閉箱では、側板が斜めになっていることから、箱の高さに比較して側板が長くなり、扉板のストロークを長く設定できるので、側板を外方向に揺動させて扉板をスライドさせることにより、天面を大きく開口させることができ、商品は支持片で開口部からずれることなく支持されるので、開口状態で商品全体を露出させて陳列し、その状態から商品を容易に取り出すことができる。
【発明を実施するための最良の形態】
【０００９】
以下、この発明の実施形態を添付図面に基づいて説明する。
【００１０】
図１及び図２に示すように、このスライド開閉箱は、２本の飲料缶Ｃを収納するものであり、板紙を材料とする箱体１と、段ボールを材料とするパッド２とから構成される。
【００１１】
箱体１は、図３に示すようなブランクから形成される。このブランクでは、方形の底板３の一対の辺に、台形の端板４がその短辺を介して連設され、一方の端板４の長辺には内枠板５が、他方の端板４の長辺には外枠板６がそれぞれ連設されている。底板３の他対の辺には側板７及び扉板８が順次連設され、端板４と側板７とは、中央に折目線を有する扇状の折込片９を介して繋がれている。
【００１２】
外枠板６には、方形の開口部１０が設けられ、内枠板５にも方形の開口部１０となる部分が設けられて、その端縁各辺に支持片１１が連設されている。ここで、内枠板５の開口部１０の開口時の形状及び大きさと、外枠板６の開口部１０の形状及び大きさとは、必ずしも同一である必要はない。
【００１３】
内枠板５の先端には継代片１２が連設され、両側には抱持片１３が連設されている。外枠板６の先端には、台形の端板４がその長辺を介して連設され、その先端には差込片１４が連設され、底板３と一方の端板４の稜部には、スリット状の差込穴１５が設けられている。また、外枠板６の両側中央部には、指入用の切欠部１６が設けられている。
【００１４】
このブランクは、１ピースから成るので、容易に製造でき、一方の端板４と内枠板５の境界及び底板３と他方の端板４の境界を、それぞれ罫線に沿って１８０°折り曲げた扁平な折畳状態で出荷されるので、輸送・保管時に嵩張ることがない。
【００１５】
一方、パッド２は、図４に示すようなブランクから形成される。このブランクでは、方形の中底板２１の一対辺に、台形状の中端板２２がその短辺を介して連設され、中底板２１の他対辺に、基端両側が斜めに切断された方形状の中側板２３が連設されている。
【００１６】
上記のようなブランクからスライド開閉箱を組み立てるには、図５に示すように、箱体１の底板３から対向する端板４を起立させ、内枠板５及び外枠板６を天面側へ折り曲げて重ね合わせ、継代片１２を他方の端板４に貼り付け、外枠板６の先端に繋がる端板４を、底板３から延びる一方の端板４の外側へ重ね、差込片１４を差込穴１５に差し込む。
【００１７】
次に、パッド２の中底板２１から各一対の中端板２２及び中側板２３を起立させ、トレー状となったパッド２を箱体１の内部に挿入し、抱持片１３を下方へ折り曲げて、箱体１に対しパッド２を位置決めし、図２に示すように、一致した内枠板５と外枠板６の開口部１０を介して、支持片１１を内側へ折り曲げつつ、２本の飲料缶Ｃを箱内に挿入する。
【００１８】
そして、折込片９を折り込みながら、底板３から側板７を起立させ、扉板８を内側へ折り曲げて撓ませつつ、内枠板５と外枠板６の間に差し込むと、図１に示すように、端板４と側板７とで底窄まりの周壁が形成され、開口部１０が扉板８で覆われて閉じられた閉蓋状態となる。
【００１９】
一方、例えば、店頭で飲料缶Ｃを陳列する際には、図２に示すように、切欠部１６を介して扉板８の基部に指を掛け、側板７を外方向に揺動させて、扉板８を撓ませつつ、内枠板５と外枠板６の間から引き出すようにスライドさせると、開口部１０が開いた開蓋状態となり、飲料缶Ｃが露出する。
【００２０】
このとき、上記のようなスライド開閉箱では、周壁が底窄まりとなるように側板７が傾斜していることから、扉板８の基部に指を掛けやすく、扉板８をスムーズにスライドさせることができる。
【００２１】
また、側板７の傾斜により、箱の高さに比較して側板７が長くなり、扉板８のストロークを長く設定できるので、天面の開口部１０を大きな面積とすることができ、支持片１１により飲料缶Ｃ全体が露出する位置に支持されるので、開口部１０から飲料缶Ｃがよく見えるように陳列して、販売促進効果を向上させることができる。
【００２２】
さらに、陳列に際して、天面が前面となるように、一方の端板４を下側にして箱を起立させても、飲料缶Ｃは、支持片１１の折目の反発により保持されているので、開口部１０から飛び出すことがない。
【００２３】
また、商品購入者がこのスライド開閉箱から飲料缶Ｃを取り出す場合には、大きな開口部１０から飲料缶Ｃと支持片１１の間に指を差し入れ、飲料缶Ｃを開口部１０を介して容易に取り出すことができる。
【００２４】
なお、上記実施形態では、箱体１の両側にそれぞれ傾斜した側板７及び扉板８を有する両開き式のものを例示したが、片側にのみ傾斜した側板７及び扉板８を有する片開き式のものとしてもよい。
【００２５】
また、内枠板５の開口部１０の端縁に支持片１１を連設したものを例示したが、外枠板６の開口部１０の端縁に支持片１１を連設し、扉板８の両側部分がスリットで係合した支持片１１の基部に沿ってスライドするようにしてもよい。
【００２６】
また、箱体１の内部にパッド２を挿入するものを例示したが、箱体１が十分な強度を有する場合には、パッド２を省略してもよい。
【図面の簡単な説明】
【００２７】
【図１】この発明の実施形態に係るスライド開閉箱の閉蓋状態を示す斜視図
【図２】同上の開蓋状態を示す斜視図
【図３】同上の箱体のブランクを示す図
【図４】同上のパッドのブランクを示す図
【図５】同上の組立過程を示す斜視図
【図６】従来のスライド開閉箱を示す斜視図
【符号の説明】
【００２８】
１  箱体
２  パッド
３  底板
４  端板
５  内枠板
６  外枠板
７  側板
８  扉板
９  折込片
１０  開口部
１１  支持片
１２  継代片
１３  抱持片
１４  差込片
１５  差込穴
１６  切欠部
２１  中底板
２２  中端板
２３  中側板
【図１】
2008150054.tif 000003
【図２】
2008150054.tif 000004
【図３】
2008150054.tif 000005
【図４】
2008150054.tif 000006
【図５】
2008150054.tif 000007
【図６】
2008150054.tif 000008